(57)【要約】【課題】  パイロット式開閉弁とこのパイロット式開閉弁の開閉を制御する制御弁とを備え、パイロット式開閉弁の組立時やストレーナ掃除時に流路に混入したゴミを捕獲し、制御弁のシート部のゴミ噛みを防止して、パイロット式開閉弁の止水不良を防止することができる洗浄水供給装置を提供する。【解決手段】  入水口と、出水口と、前記入水口と出水口とを連絡する洗浄水流路と、この洗浄水流路の途中に配設した弁座と、この弁座に当接・離脱して前記洗浄水流路を開閉する弾性体を備えた弁体と、この弁体の背後に配設された圧力室と、前記入水口と前記圧力室を連通するブリード穴とを有するパイロット式開閉弁と、前記圧力室と前記出水口を連通する連通路と、前記連通路を開閉する制御弁と、を備えた洗浄水供給装置において、前記連通路の前記制御弁と前記圧力室との間に第１ストレーナを配設したことを特徴とする。【選択図】  図５
2005256545.tif 000002
【特許請求の範囲】
【請求項１】
入水口と、出水口と、前記入水口と出水口とを連絡する洗浄水流路と、この洗浄水流路の途中に配設した弁座と、この弁座に当接・離脱して前記洗浄水流路を開閉する弾性体を備えた弁体と、この弁体の背後に配設された圧力室と、前記入水口と前記圧力室を連通するブリード穴とを有するパイロット式開閉弁と、
前記圧力室と前記出水口を連通する連通路と、
前記連通路を開閉する制御弁と、を備えた洗浄水供給装置において、
前記連通路の前記制御弁と前記圧力室との間に第１ストレーナを配設したことを特徴とする洗浄水供給装置。
【請求項２】
前記連通路を前記制御弁と一体に構成すると共に、前記制御弁と前記パイロット式開閉弁とを着脱可能に連結する連結部を設け、この連結部に前記第１ストレーナを配設したことを特徴とする請求項１記載の洗浄水供給装置。
【請求項３】
前記第１ストレーナのメッシュサイズをδ１とし、前記ブリード穴より上流側流路に配置した第２ストレーナのメッシュサイズをδ２とした場合、δ１≧δ２とすることを特徴とする請求項１又は２記載の洗浄水供給装置。
【発明の詳細な説明】
【技術分野】
【０００１】
本発明は、水洗便器、局部洗浄装置などに洗浄水を供給する洗浄水供給装置に関するものである。
【背景技術】
【０００２】
従来の洗浄水供給装置としては、開閉弁とこの開閉弁の開閉を制御する電磁弁を備えたフラッシュバルブがある。その構成は、本体シリンダ部内に上下動可能にピストン部が内装され、ピストン部は本体シリンダ部の下端に形成されたシート部に弁体を当接離脱させて給水口と排水口との間の流路を開閉する開閉弁と、ピストン部の上部に設けた圧力室と、圧力室と給水口とを連通する小穴（ブリード穴）と、圧力室と排水口とを連絡する連絡流路と、前記連絡流路を開閉する前記電磁弁とを備えている。さらに、ピストン部が摺動移動可能な筒体をピストン部に外嵌させて本体シリンダ部内に固定し、前記筒体には固定状態において前記シート部の外周を包囲するストレーナを設けている。
【０００３】
前記フラッシュバルブの給水口に接続される水道管の配管内等には、砂や配管接続用のシールテープやシール用接着剤などが給水口に混入される場合があり、電磁弁のシート部やブリード穴などの摺動部に砂やシール材が噛み込まれると、電磁弁のシート部に生じた隙間を通り洗浄水が流れるため、開閉弁が開弁し大量な洗浄水が垂れ流しになる。しかし、前記フラッシュバルブにおいては、砂やシール材がストレーナによって捕獲されブリード穴への進入を阻止するので、確実に電磁弁のシート部のゴミ噛みを防止できる。（例えば、特許文献１を参照）
【０００４】
【特許文献１】特開平０７−２４７５８６号公報（第４頁、第１図）
【発明の開示】
【発明が解決しようとする課題】
【０００５】
特許文献１の洗浄水供給装置は、ストレーナを開閉弁のブリード穴の入口部より上流側に配設して、このストレーナより上流からの砂やシール材などのゴミが開閉弁のブリード穴などの摺動部に噛み込まれて止水不良にならないように工夫されているが、開閉弁の組立時やストレーナの掃除時にゴミが混入し、ブリード穴より下流に砂やシール材などのゴミが流出する恐れがある。ブリード穴より下流にゴミが流出すると、パイロット流路である電磁弁のシート部や摺動部に噛み込まれ、圧力室と排水口とが連通した状態となって開閉弁の完全閉止状態が形成されれず止水不良となる。
【０００６】
そこで、本発明は、パイロット式開閉弁とこのパイロット式開閉弁の開閉を制御する制御弁とを備え、パイロット式開閉弁の組立時やストレーナ掃除時に流路に混入したゴミを捕獲し、制御弁のシート部のゴミ噛みを防止して、パイロット式開閉弁の止水不良を防止することができる洗浄水供給装置を提供することを目的とする。
【課題を解決するための手段】
【０００７】
本発明は、入水口と、出水口と、前記入水口と出水口とを連絡する洗浄水流路と、この洗浄水流路の途中に配設した弁座と、この弁座に当接・離脱して前記洗浄水流路を開閉する弾性体を備えた弁体と、この弁体の背後に配設された圧力室と、前記入水口と前記圧力室を連通するブリード穴とを有するパイロット式開閉弁と、前記圧力室と前記出水口を連通する連通路と、前記連通路を開閉する制御弁と、を備えた洗浄水供給装置において、前記連通路の前記制御弁と前記圧力室との間に第１ストレーナを配設したことを特徴とする。
【０００８】
このように構成された本発明においては、洗浄水供給装置のパイロット式開閉弁の制御を安定させ、パイロット式開閉弁の組立時やストレーナ掃除時に混入したゴミを捕獲し制御弁のシート部のゴミを噛み込みによる止水不良を起こさなくすることができる。
【０００９】
本発明において、好ましくは、前記連通路を前記制御弁と一体に構成すると共に、前記制御弁と前記開閉弁とを着脱可能に連結する連結部を設け、この連結部に前記第１ストレーナを配設した構成とする。
【００１０】
このように構成された本発明においては、洗浄水供給装置の組立時、第１ストレーナが容易に取付可能となる他、第１ストレーナのメンテも容易に行えるようになる。
【００１１】
また、本発明において、好ましくは、前記第１ストレーナのメッシュサイズをδ１とし、前記ブリード穴より上流側流路に配置した第２ストレーナのメッシュサイズをδ２とした場合、δ１≧δ２とする。
【００１２】
このように構成された本発明においては、水道管の配管内等に混入された砂や配管接続用のシールテープやシール用接着剤などのシール材を捕獲することができる他、第２ストレーナで捕獲できない微少なゴミを第１ストレーナで捕獲することがなく、第１ストレーナにより多くのゴミがたまることを防ぐことができる。洗浄水供給装置の組立時や止水栓に設けた第２ストレーナ清掃時に流出したゴミのみを捕獲するため、第１ストレーナのメンテ間隔を長く設定することができる他、第１ストレーナ部の小型化も図られる。
【発明の効果】
【００１３】
本発明によれば、パイロット式開閉弁とこのパイロット式開閉弁の開閉を制御する制御弁とを備えた洗浄水供給装置において、パイロット式開閉弁の組立時やストレーナ掃除時に流路に混入したゴミを捕獲し、制御弁のシート部のゴミ噛みを防止して、パイロット式開閉弁の止水不良を防止することができる。
【発明を実施するための最良の形態】
【００１４】
以下に図面を参照して本発明をより具体的に説明する。図１は本発明に係る洗浄水供給装置１を搭載した水洗便器２の外観図、図２は洗浄水供給装置１の水路構成図である。
【００１５】
洗浄水供給装置１の概略の構成を図２に基づいて説明する。洗浄水供給装置１は、図示しない給水源に連絡し洗浄水を洗浄水供給装置１に導く止水栓３と連絡する給水口２０と、便器に洗浄水の吐水する出水口２１と、給水口２０と出水口２１に配設され、給水口２０側に配設した洗浄流量を略一定に維持する定流量弁６と、定流量弁６の二次側に配設し給水口２０と出水口２１との間の洗浄水流路を開閉するパイロット式開閉弁７と、パイロット式開閉弁７のパイロット流路８の開閉を行う電磁弁９とからなる。
【００１６】
次に、洗浄水給水装置１の構造を給水の上流側から説明する。図３は止水栓３の断面図、図４は止水栓３に組み込まれている第２ストレーナ１０の外観図、図５はバルブユニット４の断面図、図６は前記パイロット流路８に組み込まれている第１ストレーナ１１の外観図である。
【００１７】
洗浄水は図示しない水道管と止水栓３の給水継ぎ手１２が接続されておりこの給水継ぎ手１２から止水栓３に導かれる。止水栓３にはコマ式弁体１３があり、コマ式弁体１３のストロークを変更させるためのネジ１４が止水栓本体１５とコマ式弁体１３に切られており、使用者がコマ式弁体１３の操作部１６を左方向に回転させると、コマ式弁体１３が弁座１９から離れ、洗浄水はコマ式弁体より下流側へ導かれる。コマ式弁体１３を通過した洗浄水は止水栓ふた１７に係り止めされた６０メッシュの第２ストレーナ１０を通り止水栓本体１５の吐出口１８に導かれる。止水栓３の吐出口１８に導かれた洗浄水は、フレキシブルな給水管５により便器内に隠蔽された洗浄水給水装置１の入水口２０に導かれる。
【００１８】
第２ストレーナ１０を掃除する際は、使用者は操作部１６を右方向に回転させ洗浄水を止水した状態で止水栓ふた１７を左方向に回転させ第２ストレーナ１０を取り出し洗浄することができる。第２ストレーナ１０は図４に示すように、エッチングにより格子状に複数の通水口を開けた板の端部を溶接し円筒形状にしている。金属板を打ち抜き作成するフィルターに比べ、開口率を大きくすることができ他、円筒形状の中心から円筒の外周へ向けて洗浄水を流すことにより平板のストレーナより省スペース化が図れる。また、第２ストレーナ１０で捕獲した異物を円筒の中心部に貯めることができ、フィルターの清掃間隔を長く設定することができる。
【００１９】
この第２ストレーナを備えることにより、水道管の配管内等に混入された砂や施工時に使用する配管接続用のシールテープやシール用接着剤などのシール材をパイロット式開閉弁７の上流側で捕獲し、ブリード穴や制御弁のシート部などの開口面積が小さい部位へ流出しないようにしている。本実施例においては、第２ストレーナを止水栓に設けたが、ブリード穴より上流の流路に第２ストレーナを設ければ同様の効果が得られる。
【００２０】
入水口２０から流入した洗浄水はパイロット式開閉弁７に導かれ、パイロット式開閉弁７を通った洗浄水は出水口２１へ流出する。パイロット式開閉弁７は、ダイヤフラム弁体２２と、ダイヤフラム弁体２２のダイヤフラム２３を隔壁の一部とする圧力室２４と、圧力室２４の圧力によりダイヤフラム弁体２２が密着する弁座２５と、圧力室２４と出水口２１を連通させるパイロット流路８とを備え、パイロット流路８の途中にはパイロット流路８の開閉を行う電磁弁９が配設されている。ダイヤフラム弁体２２は、ゴム製のダイヤフラム２３と、ダイヤフラム２３を保持するダイヤフラム押さえ２６と、入水路２０と圧力室２４の連通路であるブリード穴２７と、ブリード穴２７のゴミ詰まりを防止するクリーニングピン２８とからなる。また、ダイヤフラム押さえ２６のコーン部２９は、ダイヤフラム２３をダイヤフラム押さえ２６に固定すると共に、流れをスムーズにしパイロット式開閉弁７の圧力損失を低減する機能も有している。
【００２１】
電磁弁９は電磁コイル部３２、プランジャー３３、プランジャー３３に取り付けられたパッキン３４、プランジャー３３を付勢するバネ３５、パイロット流路８ａ、パッキン３４と密着しパイロット流路８ａを塞ぐ弁座３６などからなる。
非通電時はバネ３５によりプランジャー３３は弁座３６に付勢され閉弁しており、電磁コイル部３２に電圧を印可すると電磁力によりプランジャー３３がバネ３５に逆らいポスト３７に突きあてられ弁座３６から離れ開弁する。電磁弁９を開弁すると、パイロット流路８と出水口２１が連通するため、圧力室２４の圧力が出水口２１とほぼ同じ圧力まで低下し、ダイヤフラム弁体２２に加わる力の釣り合いが崩れ、ダイヤフラム弁体２２が弁座２５から離れ開閉弁７が開弁する。電磁弁９を閉弁すると、パイロット流路８が閉じ、洗浄水は入水口２０からブリード穴２７を通り、圧力室２４に流れ込み圧力室２４の圧力が入水口２０の圧力とほぼ同じとなり、ダイヤフラム弁体２２が弁座２５に密着し出水口２１が塞がれる。
【００２２】
パイロット式開閉弁は、差圧作動式弁であり給水圧力を利用して開弁させるため、駆動エネルギーを低減することができ、電磁弁の消費電力や、使用者のハンドル操作力（操作トルク）を減らすことができる。比較的大流量（２０Ｌ／ｍｉｎ以上）が必要な水洗便器に用いる洗浄水バルブとしては好ましい構成といえる。
【００２３】
パイロット式開閉弁７の圧力室２４とパイロット式開閉弁７の制御弁である電磁弁９との連通路であるパイロット流路８の途中に止水栓３の第２ストレーナ１０と同じ６０メッシュの第１ストレーナ１１を備えている。第１ストレーナ１１は、複数の穴を設けた円盤状のプレートであり、プレス成形により作製している。組立時や第２ストレーナ１０の清掃時に混入した異物を捕獲することができ、電磁弁シート部３０の異物噛み込みによる止水不良を防止している。
【００２４】
第１ストレーナのメッシュは、止水栓３の第２ストレーナ１０と同じメッシュサイズ以上にしているため、第２ストレーナ１０で捕獲できない微少な異物を第１ストレーナ１１で捕獲することがなく、第１ストレーナ１１に多くのゴミがたまらない。洗浄水供給装置１の組立時や止水栓３に設けた第２ストレーナ１０の清掃時に流出したゴミのみを捕獲するため、便器内に隠蔽された第１ストレーナ１１のメンテ間隔を長く設定することができる他、第１ストレーナを小型化することができる。
【００２５】
電磁弁９は、パイロット流路８の一部を構成するパイロット流路構成部３１に組み込まれており、パイロット式開閉弁７とパイロット流路構成部３１とは着脱可能でネジなどにより連結している。そして、パイロット式開閉弁７とパイロット流路構成部３１の連結部３８のパイロット流路構成部３１側に第１ストレーナを収納する筒状の収納部３９を設け、この収納部３９内に第１ストレーナ１１を収納している。そうすることにより、洗浄水供給装置１の組立時、第１ストレーナ１１の取付が容易に行える。また、メンテ時にもパイロット式開閉弁７とパイロット流路構成部３１とを分離することにより、第１ストレーナ１１を容易に取り出すことができるなどの利点がある。
また、第１ストレーナ１１の収納部をパイロット式開閉弁７側に設けることもできる。
【００２６】
上記において、洗浄水供給装置１は図１のような水道直圧式の水洗便器２に適用した例で説明しているが、水道直圧式の局部洗浄装置など住宅用水回り機器にも適用可能である。
【図面の簡単な説明】
【００２７】
【図１】本発明に係る洗浄水供給装置を搭載した水洗便器の外観図
【図２】洗浄水供給装置の水路構成図
【図３】止水栓の断面図
【図４】止水栓に組み込まれている第２ストレーナの外観図
【図５】本発明に係る洗浄水供給装置の断面図
【図６】図５に示す洗浄水供給装置のパイロット流路に組み込まれている第１ストレーナの外観図
【符号の説明】
【００２８】
１…洗浄水供給装置
２…水洗便器
３…止水栓
５…給水管
６…定流量弁
７…開閉弁
８…パイロット流路
８ａ…パイロット流路
９…電磁弁
１０…第２ストレーナ  
１１…第１ストレーナ
１２…給水継ぎ手
１３…コマ式弁体
１４…ネジ
１５…止水栓本体
１６…操作部
１７…止水栓ふた
１８…吐出口
１９…弁座
２０…入水口
２１…出水口
２２…ダイヤフラム弁体
２３…ダイヤフラム
２４…圧力室
２５…弁座
２６…ダイヤフラム押さえ
２７…ブリード穴
２８…クリーニングピン
２９…コーン部
３１…パイロット流路構成部
３２…電磁コイル部
３３…プランジャー
３４…パッキン
３５…バネ
３６…弁座
３７…ポスト  
３８…連結部
３９…収納部
【図１】
2005256545.tif 000003
【図２】
2005256545.tif 000004
【図３】
2005256545.tif 000005
【図４】
2005256545.tif 000006
【図５】
2005256545.tif 000007
【図６】
2005256545.tif 000008